(57)【要約】ユーザにより入力されたインターネットアドレスに応じてインターネットから取り出されたインターネットページを表示し、ユーザにより入力されたTVデータサービスアドレスに応じてTVチャンネル放送から取り出されたTVデータサービスデータを表示するように構成されたインターネット及びTVデータサービス・ブラウジング装置が開示される。特に、そのような装置は、ユーザがインターネットアドレスとTVデータサービスとの双方を入力し、それぞれインターネットページとTVデータサービスデータとを表示し得る共通の入力機構、及び／又はブラウザにより視聴可能なファイルフォーマットにTVデータサービスデータファイルを保存し、前記TVデータサービスデータファイルはTVデータサービスデータから構成され、それを有し、又はそれを参照し、前記TVデータサービスデータファイルは前記TVチャンネルのチャンネル名又はチャンネル番号を示すファイル名又はディレクトリ構造を有する保存手段を備えて開示される。
2006510293.tif 000002
【特許請求の範囲】
【請求項１】
ユーザにより入力されたインターネットアドレスに応じてインターネットから取り出されたインターネットページを表示し、ユーザにより入力されたTVデータサービスアドレスに応じてTVチャンネル放送から取り出されたTVデータサービスデータを表示するように構成されたインターネット及びTVデータサービス・ブラウジング装置であって、
ユーザがインターネットアドレスとTVデータサービスとの双方を入力し、それぞれインターネットページとTVデータサービスデータとを表示し得る共通の入力機構を特徴とする装置。
【請求項２】
請求項１に記載の装置であって、
前記入力機構は、スクリーンに表示されたテキスト入力ボックスのテキスト入力である装置。
【請求項３】
請求項１に記載の装置であって、
前記入力機構は、ディスプレイに表示された特定の形式のハイパーリンクの選択である装置。
【請求項４】
請求項１に記載の装置であって、
前記TVデータサービスアドレスは、TVチャンネルのチャンネル名又はチャンネル番号を有する装置。
【請求項５】
ユーザにより入力されたインターネットアドレスに応じてインターネットから取り出されたインターネットページを表示し、ユーザにより入力されたTVデータサービスアドレスに応じてTVチャンネル放送から取り出されたTVデータサービスデータを表示するように構成されたインターネット及びTVデータサービス・ブラウジング装置であって、
ブラウザにより視聴可能なファイルフォーマットにTVデータサービスデータファイルを保存する保存手段を特徴とし、前記TVデータサービスデータファイルはTVデータサービスデータから構成され、それを有し、又はそれを参照し、前記TVデータサービスデータファイルは前記TVチャンネルのチャンネル名又はチャンネル番号を示すファイル名又はディレクトリ構造を有して保存される装置。
【請求項６】
請求項５に記載の装置であって、
前記ブラウザにより視聴可能なファイルフォーマットにTVデータサービスデータを取り出した場合、前記保存手段は、前記ファイルを前記TVデータサービスデータファイルとして保存する装置。
【請求項７】
請求項５又は６に記載の装置であって、
前記ブラウザにより視聴不可能なファイルフォーマットにTVデータサービスデータを取り出した場合、前記保存手段は、まず、前記ブラウザにより視聴可能なフォーマットに前記ファイルを変換し、次に、前記変換されたファイルを前記TVデータサービスデータファイルとして保存する装置。
【請求項８】
請求項５に記載の装置であって、
前記ブラウザにより視聴不可能なファイルフォーマットにTVデータサービスデータを取り出した場合、又はファイルフォーマットにTVデータサービスデータを取り出さない場合、前記TVチャンネルから取り出されたTVデータサービスデータ又は前記TVチャンネルから取り出されたTVデータサービスデータを有する関連ファイルへの参照を有するようにファイルを生成又は修正し、前記生成又は修正されたファイルを前記TVデータサービスデータファイルとして保存する装置。
【請求項９】
インターネット及びTVデータサービスのブラウジングを提供する方法であって、
ブラウザをサポートするステップと、
TVチャンネルからTVデータサービスデータを取り出すステップと、
前記TVチャンネルのチャンネル名又はチャンネル番号を示すファイル名又はディレクトリ構造を備えて、前記ブラウザにより視聴可能なファイルフォーマットに前記TVデータサービスデータから構成され、それを有し、又はそれを参照するTVデータサービスデータファイルを保存するステップと
を有する方法。
【請求項１０】
請求項９に記載の方法であって、
前記ブラウザにより視聴可能なファイルフォーマットにTVデータサービスデータを取り出した場合、前記ファイルは、前記TVデータサービスデータファイルとして保存される方法。
【請求項１１】
請求項９又は１０に記載の方法であって、
前記ブラウザにより視聴不可能なファイルフォーマットにTVデータサービスデータを取り出した場合、前記ファイルは、まず、前記ブラウザにより視聴可能なフォーマットに変換され、次に、前記変換されたファイルは前記TVデータサービスデータファイルとして保存される方法。
【請求項１２】
請求項９又は１０に記載の方法であって、
前記ブラウザにより視聴不可能なファイルフォーマットにTVデータサービスデータを取り出した場合、又はファイルフォーマットにTVデータサービスデータを取り出さない場合、前記TVチャンネルから取り出されたTVデータサービスデータ又は前記TVチャンネルから取り出されたTVデータサービスデータを有する関連ファイルへの参照を有するようにファイルが生成又は修正され、前記生成又は修正されたファイルを前記TVデータサービスデータファイルとして保存される方法。
【発明の詳細な説明】
【技術分野】
【０００１】
本発明は、ユーザにより入力されたインターネットアドレスに応じてインターネットから取り出されたインターネットページを表示し、ユーザにより入力されたTVデータサービスアドレスに応じてTVチャンネル放送から取り出されたTVデータサービスデータを表示するように構成されたインターネット及びTVデータサービス・ブラウジング装置に関するものである。
【背景技術】
【０００２】
現在、あるモードではユーザがインターネットをブラウズし、他のモードではユーザがWorld  Standard  Teletext(WST)とWSTのデジタル相当物とデジタルインタラクティブTVデータサービスとを含むTVデータサービスをブラウズすることを可能にするTV及びTVセットトップボックスを提供することが知られている。このようなTVデータサービスは、地上波RF送受信機やケーブル(電話を含む)や衛星媒体を介して、専用チャンネルで又はビデオ及びオーディオ信号と多重化して、アナログ及びデジタルTV放送により提供され得る。
【０００３】
日本特許出願の公開番号JP11-018060は、テレテキストページをJPEGのような画像ファイルに変換してhtmlファイルのヘッダで画像ファイルを参照することにより、又はテレテキスト文字データをhtmlファイルに書込むことにより、また、いずれの場合においてもhtmlファイルをRAMに保存して、入力テレテキストストリームが従来のインターネットブラウザを使用して視聴され得るTVセットを開示している。
【発明の開示】
【発明が解決しようとする課題】
【０００４】
改善した統合のインターネット及びTVデータサービス・ブラウジング装置を提供することが本発明の目的である。
【課題を解決するための手段】
【０００５】
本発明の第１の態様によると、前述の形式のインターネット及びTVデータサービス・ブラウジング装置は、スクリーンに表示されたテキスト入力ボックスのテキスト入力又はディスプレイに表示された特定の形式のハイパーリンクの選択のような、共通の入力機構を備え、その共通の入力機構で、ユーザはインターネットアドレスとTVデータサービスとの双方を入力し、それぞれインターネットページとTVデータサービスデータとを表示してもよい。
【０００６】
このような装置により、インターネットとTVブラウザとの双方に共通の簡単な入力機構を使用して、インターネットとTVデータサービスとのブラウジングをシームレスに切り替えることが可能になる。
【０００７】
理想的には、TVデータサービスアドレスは、TVチャンネルのチャンネル名又はチャンネル番号を有し、それにより、ユーザは異なるTVチャンネルのTVデータサービス間を識別及び選択することが可能になる。
【０００８】
ユーザが特定のチャンネルのTVデータサービスを選択すると、そのような選択の後にその装置は対応するTVデータサービスデータを取り出そうとしてもよく、また代替として、その装置は適切なキャッシュからそのようなデータを取り出してもよい。従って、本発明の第２の態様によると、前述の形式のインターネット及びTVデータサービス・ブラウジング装置は、ブラウザにより視聴可能なファイルフォーマットにTVデータサービスデータファイルを保存する保存手段を備え、そのTVデータサービスデータファイルはTVデータサービスデータから構成され、それを有し、又はそれを参照し、そのTVデータサービスデータファイルはTVチャンネルのチャンネル名又はチャンネル番号を示すファイル名又はディレクトリ構造を有して保存される。
【０００９】
特に、保存手段は以下のうち１つ以上を行ってもよい。
・ブラウザにより視聴可能なファイルフォーマットにTVデータサービスデータを取り出した場合、そのファイルをTVデータサービスデータファイルとして保存する。
・ブラウザにより視聴不可能なファイルフォーマットにTVデータサービスデータを取り出した場合、まず、ブラウザにより視聴可能なフォーマットにそのファイルを変換し、次に、変換されたファイルをTVデータサービスデータファイルとして保存する。
・ブラウザにより視聴不可能なファイルフォーマットにTVデータサービスデータを取り出した場合、又はファイルフォーマットにTVデータサービスデータを取り出さない場合、TVチャンネルから取り出されたTVデータサービスデータ又はTVチャンネルから取り出されたTVデータサービスデータを有する関連ファイルへの参照を有するようにファイルを生成又は修正し、その生成又は修正されたファイルをTVデータサービスデータファイルとして保存する。
【００１０】
また、請求項９〜１２に記載の対応する方法が、本発明の第２の態様に従って提供される。
【発明を実施するための最良の形態】
【００１１】
本発明について、以下の図面を参照して一例として説明する。
【００１２】
図１は、垂直帰線区間にあるテレテキストデータを備えたアナログ地上波放送TVフィードと、電話回線からのインターネット(www)フィードとの双方を供給されているインターネット可能TVセットトップボックスを示している。
【００１３】
対応するTVに接続されているTVセットトップボックスは、本発明に従って、ユーザがweb  url又は“テレテキスト”urlを“アドレス”テキスト入力ボックスに入力し得るブラウザモードで動作することができる。すなわち、“http://www.philips.com”を入力すると、Philipsのホームウェブページが図２に示すブラウザに表示され(実際のウェブページは再現されていない)、“txt://bbc1.page100”を入力すると、BBC1テレテキストサービスのページ100が図３に示すブラウザに表示される(実際のテレテキストデータは再現されていない)。
【００１４】
テレテキストデータの取り出しはリアルタイムに行われてもよく、それによってTVセットトップボックスはそのページが伝送されるのを待機し、そのデータを進行中にブラウジングに適したフォーマットに変換する。代替として、テレテキストデータは事前に取り出され、ブラウジングに適したフォーマットに変換され、TVチャンネルのチャンネル名又はチャンネル番号を示すファイル名及び／又はディレクトリ構造と共にキャッシュされてもよい。
【００１５】
アドレスデータ入力は、セットトップボックスを制御するために使用される従来のキーボード、キーパッド又はリモコン(図示なし)を使用することにより行われてもよい。
【００１６】
アナログTVフィードについて前述したが、TVフィードは、アナログでもデジタルでもよく、また、地上波RF、衛星又はケーブルを含み、如何なる適切な放送源からでもよい。同様に、セットトップボックスへのインターネットフィードは、ケーブル、電話又は無線LANを介したものを含み、如何なる適切なインターネット源からでもよい。
【００１７】
不可欠なストレージは、書き込み可能な光又は磁気ディスクでもよく、固体メモリでもよく、その他の適切な媒体でもよい。
【００１８】
このようなセットトップボックスへの本発明の実装は、適切なプログラミング及び構成によりハードウェア及び／又はソフトウェアに容易に実現され得る。当然のことながら、そのようなプログラミング及び構成は周知であり、過度の負担を行うことなく、当業者により実現される。本発明の教示はTV又はPCベースのそのような装置と一体化した装置にも同等に適用されることが、当業者に更にわかる。
【図面の簡単な説明】
【００１９】
【図１】本発明の双方の態様に従って動作するTVセットトップボックス
【図２】図１のセットトップボックスにより生成されたスクリーン表示
【図３】図１のセットトップボックスにより生成されたスクリーン表示
【図１】
2006510293.tif 000003
【図２】
2006510293.tif 000004
【図３】
2006510293.tif 000005
【国際調査報告】
2006510293.tif 000006
2006510293.tif 000007
2006510293.tif 000008